(57)【要約】    【課題】  装置の大型化や、コストアップを抑制しつつ、信頼性、読取り画質及び生産性を向上させることができる画像読取り装置を提供することにある。    【解決手段】  画像読取り装置は、原稿２０４を照明する原稿照明ランプ２０１、及び原稿２０４の反射光をＢ方向に反射する第１のミラー２０５を有する第１の走査部２００とを備える。第１走査部２００は、原稿台ガラス２０３の下方で原稿２０４を副走査方向に走査するように構成されている。第１の走査部２００は、往路の範囲ｂや復路の範囲ａでは、振動が発生しない。従って、これらの範囲の読取り画像を選択して合成する。【選択図】      図１
2006041599.tif 000002
【特許請求の範囲】
【請求項１】
原稿をその一端と他端の間で走査する走査光学系と、前記走査光学系で走査された原稿からの反射光を受光して前記原稿上の画像を読取る画像読取り手段とを備える画像読取り装置において、
前記画像読取り手段は、前記走査光学系が前記原稿の一端から他端に向かって走査するときに前記原稿上の画像を読取って第１の画像データを取得すると共に、前記原稿の他端から一端に向かって走査するときに前記原稿上の画像を読取って第２の画像データを取得するように構成されており、
前記画像読取り装置は、前記第１の画像データ及び前記第２の画像データから夫々適正な領域部分を選択し、前記選択された２つの適正な領域部分における各画像データを合成することにより１枚の原稿画像データを取得する合成手段を備えることを特徴とする画像読取り装置。
【請求項２】
前記原稿の一端からの前記適正な領域部分に対応する読取り原稿画像データは、前記第２の画像データに基づいて作成され、前記原稿の他端からの前記適正な領域部分に対応する読取り原稿画像データは、前記第１の画像データに基づいて作成されることを特徴とする請求項１記載の画像読取り装置。
【請求項３】
前記走査光学系が振動していることを検知する検知手段を備え、前記合成手段は、前記第１の画像データ及び前記第２の画像データから夫々振動が少ない領域部分を選択することを特徴とする請求項１又は２記載の画像読取り装置。
【請求項４】
前記第１の画像データ及び前記第２の画像データに夫々画像処理を行う画像処理手段を備え、前記合成手段は、前記画像処理の結果に応じて前記第１の画像データ及び前記第２の画像データから夫々採用領域部分を選択することを特徴とする請求項１乃至３のいずれか１項に記載の画像読取り装置。
【請求項５】
前記画像処理は、前記原稿画像が白黒画像かカラー画像かを判定する処理であることを特徴とする請求項４記載の画像読取り装置。
【請求項６】
前記組み合わせ手段は、前記第１の画像データと前記第２の画像データとで前記白黒画像かカラー画像かを判定する処理の結果が異なるときは、当該結果が異なる２つの領域部分のうち前記白黒と判定した方を選択することを特徴とする請求項５記載の画像読取り装置。
【請求項７】
前記画像処理は、前記原稿画像の黒文字部分を判定する処理であることを特徴とする請求項４記載の画像読取り装置。
【請求項８】
前記合成手段は、前記第１の画像データと前記第２の画像データとで前記黒文字部分を判定する処理の結果が異なるときは、当該結果が異なる２つの領域部分のうち前記黒文字部分と判定した方を選択することを特徴とする請求項６記載の画像読取り装置。
【請求項９】
原稿をその一端と他端の間で走査する走査光学系と、
前記走査光学系で走査された原稿からの反射光を受光して前記原稿上の画像を読取る画像読取り手段と、
前記走査光学系が前記原稿の一端から他端に向かって走査するときに前記原稿上の画像を読取って第１の画像データを取得する第１の読取りモードと、前記走査光学系が前記原稿の一端から他端に向かって走査するときに前記原稿上の画像を読取って第１の画像データを取得すると共に、前記原稿の他端から一端に向かって走査するときに前記原稿上の画像を読取って第２の画像データを取得する第２の読取りモードとを採るように前記画像読取手段を制御する制御手段と、
前記第１の読取りモードと前記第２の読取りモードを選択する選択手段と、
を備えていることを特徴とする画像読取り装置。
【請求項１０】
前記選択手段は、前記走査光学系が前記原稿の一端から他端に向かって走査するときにおける前記走査光学系の振動に基づいて前記第１の読取りモードと前記第２の読取りモードを選択することを特徴とする請求項９記載の画像読取り装置。
【請求項１１】
前記選択手段は、前記走査光学系が前記原稿の一端から他端に向かって走査するときに行われた前記画像処理の結果に基づいて前記第１の読取りモードと前記第２の読取りモードを選択することを特徴とする請求項９記載の画像読取り装置。
【請求項１２】
前記画像読取り手段は、前記第１の読取りモード及び前記第２の読取りモードの夫々において前記画像読取りの回数を計数する計数手段を備えることを特徴とする請求項９乃至１１のいずれか１項に記載の画像読取り装置。
【請求項１３】
前記走査光学系の走査開始位置は、前記第１の読取りモードと前記第２の読取りモードとで異なっていることを特徴とする請求項９乃至１２のいずれか１項に記載の画像読取り装置。
【請求項１４】
前記第２の読取りモードにおける前記走査光学系の往路の走査開始位置は、前記第１の読取りモードにおける前記走査光学系の走査開始位置よりも走査方向の下流側にあることを特徴とする請求項１３記載の画像読取り装置。
【請求項１５】
前記走査光学系の走査開始位置は、前記原稿上の画像の領域内にあることを特徴とする請求項１乃至１４のいずれか１項に記載の画像読取り装置。
【発明の詳細な説明】
【技術分野】
【０００１】
本発明は、画像読取り装置に関し、特に原稿上の画像を読取る画像読取り装置に関する。
【背景技術】
【０００２】
従来の画像読取り装置は、原稿を載置する原稿台ガラスと、原稿を原稿台ガラスに押さえる原稿台カバーと、原稿を照明する原稿照明ランプ、及び原稿の反射光を反射する第１のミラーを有する第１の走査部と、第１のミラーからの反射光を反射する第２のミラー及び第３のミラーを有する第２の走査部と、第３のミラーからの反射光をレンズを介して受光するＣＣＤとを備える。ＣＣＤは、受光した光学像を光電変換して画像信号として読取る。
【０００３】
第１走査部は、原稿台ガラスの下方で原稿を副走査方向（Ａ方向及びＢ方向）に走査するように構成され、第２の走査部は、原稿の面からＣＣＤまでの距離（光路長）を一定とすべく第１の走査部の速度の１／２で移動するように構成されている。
【０００４】
上記画像読取り装置では、この第１の走査部の走査開始時に振動が発生する。具体的には、図７に示すように、第１の走査部が走査開始位置から走査を開始し（図中（１）の時点）、走査開始時（１）から振動が発生する。第1の走査部が画像読取り開始位置に到達（図中の（３）の時点)においても振動が収束しない場合、読み取った画像がぶれて画質が劣化する。
【０００５】
このような第１の走査部の立ち上がり時に生じる振動を低減する方法としては、第１の走査部の助走距離（走査開始位置から画像読取り開始位置までの距離）を長くする方法があるが、これでは、装置が大型化する。また、他の方法として、走査光学系の駆動系の精度向上や、各部の組み立て時調整を行う等の対策があるが、装置のコストが高くなる（例えば、特許文献１参照）。
【０００６】
また、定常速度での走査光学系の移動中に、何らかの外乱により振動が発生する。一例を挙げれば、画像読取り装置が画像形成装置（プリンタ）と接している場合に画像形成装置側に起因する振動が画像読取り装置に伝達される。このような突発的な振動も、読取り画像上で画像ブレによる画質の劣化を招く。この突発振動を低減する方法としては、画像読取り装置枠体の強度向上や、装置設置面への緩衝材追加などの手段が採られてきたが、前述と同様に何らかのコストアップは避けられない。
【０００７】
また、上記振動は、画像のぶれといった画質劣化だけではなく、画像処理上の誤判定を招く可能性がある。画像読取り装置においては、原稿画像読取り時に、原稿画像の白黒／カラー判定、像域分離による黒文字判定等の画像処理上の判定を行っている（例えば、特許文献２及び特許文献３参照）。前述した、走査光学系の立ち上り時の振動や突発振動による読取り画像信号への影響は、これら画像処理上の誤判定を招くことになり、結果として読取り画像、ひいては画像形成装置への出力画像の画質の劣化となる。
【特許文献１】特開平８−２６５５１０号公報
【特許文献２】特開平１−３１９０２０号公報
【特許文献３】特開平３−６４２７２号公報
【発明の開示】
【発明が解決しようとする課題】
【０００８】
しかしながら、上述の画質劣化や画像処理上の問題は、すべてのユーザーが重要視しているわけではない。また、同一ユーザーにおいても、常に高画質の画像読取りを必要としているわけではなく、時には逆に、高画質よりも読取り速度を重視する場合もある。もちろん全ての要求を満足する画像読取り装置の提供が理想ではあるが、一部のユーザー、又は、一部の原稿画像に対応するために、多少なりとも、装置のコストアップ及び大型化を招くのは技術上からも明らかである。つまり、コスト抑制と装置の小型化という基本要求を抑えた上で、近年のユーザーの多岐にわたる要求、及び、その優先順位に対応できる画像読取り装置の提供が必須課題となってきている。
【０００９】
また、近年、画像読取り装置には、装置の信頼性、読取り画像品質、及び生産性の向上、並びに装置の小型化及びコストダウンが要求されている。
【００１０】
本発明の目的は、装置の大型化や、コストアップを抑制しつつ、信頼性、読取り画質、及び生産性を向上させることができる画像読取り装置を提供することにある。
【課題を解決するための手段】
【００１１】
上記の目的を達成するために、請求項１記載の画像読取り装置は、原稿をその一端と他端の間で走査する走査光学系と、前記走査光学系で走査された原稿からの反射光を受光して前記原稿上の画像を読取る画像読取り手段とを備える画像読取り装置において、前記画像読取り手段は、前記走査光学系が前記原稿の一端から他端に向かって走査するときに前記原稿上の画像を読取って第１の画像データを取得すると共に、前記原稿の他端から一端に向かって走査するときに前記原稿上の画像を読取って第２の画像データを取得するように構成されており、前記画像読取り装置は、前記第１の画像データ及び前記第２の画像データから夫々適正な領域部分を選択し、前記選択された２つの適正な領域部分における各画像データを合成することにより１枚の原稿画像データを取得する合成手段を備えることを特徴とする。
【００１２】
請求項９記載の画像読取り装置は、原稿をその一端と他端の間で走査する走査光学系と、前記走査光学系で走査された原稿からの反射光を受光して前記原稿上の画像を読取る画像読取り手段と、前記走査光学系が前記原稿の一端から他端に向かって走査するときに前記原稿上の画像を読取って第１の画像データを取得する第１の読取りモードと、前記走査光学系が前記原稿の一端から他端に向かって走査するときに前記原稿上の画像を読取って第１の画像データを取得すると共に、前記原稿の他端から一端に向かって走査するときに前記原稿上の画像を読取って第２の画像データを取得する第２の読取りモードとを採るように前記画像読取手段を制御する制御手段と、前記第１の読取りモードと前記第２の読取りモードを選択する選択手段とを備えていることを特徴とする。
【発明の効果】
【００１３】
請求項１記載の画像読取り装置によれば、走査光学系が原稿の一端から他端に向かって走査するときに原稿上の画像を読取って第１の画像データを取得すると共に、原稿の他端から一端に向かって走査するときに原稿上の画像を読取って第２の画像データを取得し、画像読取り装置が第１の画像データ及び第２の画像データから夫々適正な領域部分を選択し、選択された２つの適正な領域部分における各画像データを合成するので、装置の大型化や、コストアップを抑制しつつ、信頼性、読取り画質及び生産性を向上させることができる。
【００１４】
請求項９記載の画像読取り装置によれば、走査光学系が前記原稿の一端から他端に向かって走査するときに原稿上の画像を読取って第１の画像データを取得する第１の読取りモードと、走査光学系が前記原稿の一端から他端に向かって走査するときに原稿上の画像を読取って第１の画像データを取得すると共に、原稿の他端から一端に向かって走査するときに前記原稿上の画像を読取って第２の画像データを取得する第２の読取りモードとを有し、第１、第２の読取モードを選択することにより、画像の内容に応じて読取モードを選択でき、画質優先と速度優先といった使い分けが可能になり、装置の使い勝手が向上する。
【発明を実施するための最良の形態】
【００１５】
以下、本発明の実施の形態を図面を参照しながら詳述する。
【００１６】
この実施の形態に記載されている構成部品の寸法、材質、形状、その相対配置などは、特に特定的な記載がない限りは、この発明の範囲をそれらのみに限定する趣旨のものではない。
【００１７】
図１は、本発明の実施の形態に係る画像読取り装置の構成を概略的に示す図である。
【００１８】
図１の画像読取り装置は、原稿２０４を載置する原稿台ガラス２０３と、原稿２０４を原稿台ガラス２０３に押さえる原稿台カバー２１０と、原稿２０４を照明する原稿照明ランプ２０１（図２）、及び原稿２０４の反射光をＢ方向に反射する第１のミラー２０５を有する第１の走査部２００と、ミラー２０５からの反射光をＡ方向に反射する第２のミラー２０６及び第３のミラー２０７を有する第２の走査部２２０と、第１の走査部２００及び第２の走査部３００を駆動するモータ２３０（図２）と、第１の走査部２００の振動を検知すべく第１の走査部２００に取付けられた振動検知センサ２４０（図２）と、装置本体の振動を検知すべく装置本体に取付けられた振動検知センサ２５０（図２）と、ミラー２０７からの反射光をレンズ２０８を介して受光するＣＣＤ２０９（図２）と、後述する図２の制御ユニット３００とを備える。ＣＣＤ２０９は、受光した光学像を光電変換して画像信号として読取る。
【００１９】
第１走査部２００は、原稿台ガラス２０３の下方で原稿２０４を副走査方向（Ａ方向及びＢ方向）に走査するように構成され、第２の走査部２２０は、原稿２０４の面からＣＣＤ２０９までの距離（光路長）を一定とすべく第１の走査部２００の速度の１／２で移動するように構成されている。第１の走査部２００と第２の走査部２２０は走査光学系を構成する。
【００２０】
図１の画像読取り装置は、原稿画像（入力画像）の精度及び作業効率を考慮して第１の読取りモード（通常モード）と第２の読取りモード（高画質モード）を採るように構成されている。
【００２１】
図２は、図１における制御ユニット３００の構成を概略的に示すブロック図である。
【００２２】
この制御ユニット３００は、ＣＣＤ２０９及び振動検知センサ２４０,２５０に夫々接続されたＣＰＵ３０１と、ＣＰＵ３０１に夫々接続されていると共に、ＣＰＵ３０１によって実行されるプログラムを格納するＲＯＭ３０２、記憶装置としてのＲＡＭ３０３、モータ２３０用のドライバ３０６、及び原稿照明ランプ２０１用のインバータ３０８とを備える。
【００２３】
ＲＯＭ３０２は、ＣＰＵ３０１によって実行されるプログラムとして、ＣＣＤ２０９等により読み取られた画像データを処理する画像処理モジュール３１１と、画像合成モジュール３１２と、第１の読取りモードと第２の読取りモードを選択する選択モジュール３１３と、画像読取りの回数を計数する計数モジュール３１４とを格納している。
【００２４】
図１の画像読取り装置は、その操作部上に第１の読取りモードと第２の読取りモードを選択する選択ボタンを有する。この選択に関する初期設定は、第１の読取りモードに設定されており、第２の読取りモードを選択する場合にのみ、選択ボタンの入力をするように構成してもよい。さらに、選択もモジュール３１３は、原稿画像の種類の入力（文字、文字／写真、写真）に連動して第１の読取りモードと第２の読取りモードの選択を行うように構成してもよい。
【００２５】
第１の読取りモードと第２の読取りモードの選択は、画像読取り処理の前に行われ、第１の読取りモードは、原稿画像の精度がそれほど必要でないが、読取り速度を大きくしたい場合に選択され、第２の読取りモードは、読取り速度が低下しても写真や部品図面等のように原稿画像の精度が必要である場合に選択される。
【００２６】
図３は、図１における第１走査部２００の位置及び速度の相関関係を説明するのに用いられる図であり、第１の読取りモードの場合を示す。
【００２７】
図３は、厳密な図でなく、視覚的な説明のし易さを考慮した図であり、縦軸が第１走査部２００の速度Ｖを示し、横軸が原稿２０４に対する第１走査部２００の相対位置を示す。このことは、以下の図においても同じである。
【００２８】
図３において、第１走査部２００は、位置（１）から矢印Ａ方向、即ち原稿２０４の先端（図中Ｆ）側から後端（図中Ｒ）側に移動を開始して加速し、原稿画像読取り直前の位置（２）で一定速度になるときに振動する。この走査速度立ち上がり時の振動は、位置（４）で収束するが、原稿画像読取り開始位置である位置（３）では収束していない（範囲ａ）。この場合、走査速度立ち上がり時の速度変化（勾配）がそれ程大きくなければ、読取り画像の画質劣化は多少あったとしても、第１の読取りモード（通常モード）としては、問題ないレベルである。
【００２９】
第１走査部２００は、この後、矢印Ａ方向に移動し、順次原稿２０４を読取りながら、原稿画像の後端（Ｒ）の位置で停止する。停止時における速度変化（勾配）は、移動開始時に比して急になっている。また、停止時に第１走査部２００に振動が生じるが、画像読取りは終了しているので、画質に影響を与えない。
【００３０】
さらに、第１走査部２００は、原稿画像読取り終了後、次の原稿の読取りに備えて、位置（１）まで戻る、この際、画像読取りが行わないので、移動速度は、生産性（スピード）を考慮して、画像読取り（往路）時の速度に比して一般的に高く設定される。
【００３１】
図４は、図１における第１走査部２００の位置及び速度の相関関係を説明するのに用いられる図であり、第２の読取りモードの場合を示す。
【００３２】
図４において、まず、第１の走査部２００は、往路（矢印Ａ方向）において、位置（１）から矢印Ａ方向に図２と同じ画像読取りを行い、復路（矢印Ｂ方向）において、矢印Ｂ方向、即ち原稿２０４の後端（図中Ｒ）側から先端（図中Ｆ）側に往路の読取りと同じ速度で移動しながら画像読取りを行う。この際、復路における振動が収束していない範囲ｂで画質が劣化する。
【００３３】
第１の走査部２００は、上記のような往路の範囲ａや復路の範囲ｂでは振動が発生するため、第２の読取りモード（高画質モード）としては画像読取りの画質が低下するが、往路の範囲ｂや復路の範囲ａでは、振動が発生せず、画像読取りの画質は低下しない。従って、画像合成モジュール３１２により、往路の範囲ｂや復路の範囲ｂにおける読取り画像を選択して合成することにより、原稿２０４の全域において画質劣化のない読取り画像を取得することができる。
【００３４】
また、図４においては、往路（矢印Ａ方向）の画像読取り時に、外乱による突発的な振動が発生しているが（図４のＰ部）、復路（矢印Ｂ方向）では振動が発生していないときは、画像合成モジュール３１２により、振動が発生していない領域（復路）を選択して合成することにより、原稿２０４の全域において画質劣化のない読取り画像を取得することができる。
【００３５】
外乱の発生原因としては、画像読取り装置が画像形成装置（プリンタ）と接していて、この画像形成装置に起因する振動が画像読取り装置に伝達される場合や、ユーザによる設置条件等に起因する場合が挙げられる。
【００３６】
ここで、前述した露光走査系の走査速度立ち上り時の振動、及び突発振動の発生領域における読取り画像情報に対し、振動の影響がない領域の画像情報を選択する方法について、以下に詳細に説明する。
【００３７】
走査速度立ち上がり時の振動については、その振動発生タイミングが限定されているため、原稿２０４の先端位置（Ｆ）と後端位置（Ｒ）とで夫々実験的に振動収束時間を割り出し、これらに量産バラツキ等を考慮した余裕分を付加した不適正な領域部分を予め決定しておき、第１の走査系２００の往路（矢印Ａ方向）の移動時には、原稿２０４の後端位置（Ｒ）側の不適正な領域部分を除く適正な領域部分に対応する画像情報を採択すると共に、第１の走査系２００の復路（矢印Ｂ方向）の移動時には、原稿２０４の先端位置（Ａ）側の不適正な領域部分を除く適正な領域部分に対応する画像情報を採択する。
【００３８】
次に、突発振動に関しては、以下の２つの手法があり、いずれを採択してもよい。
【００３９】
まず、１つ目は、画像読取り装置に装置本体の振動を検知する振動検知手段を設ける方法である。本実施の形態では、振動検知手段の一例として、装置枠体に加速度センサから成る振動検知センサ２５０（図２）を取り付けている。
【００４０】
この振動検知センサ２５０による振動情報に基づいて、ある規定以上の振動を検知した場合に、その前後の一定の領域の画像情報を、他方の対象となる同じ画像領域の画像情報に置き換える。例えば、往路のある位置で振動を検知したときは、この前後一定領域の画像情報の代わりに復路の同じ領域の画像情報を代替として採択して合成することで振動による劣化を除去した画像を得ることが可能となる。
【００４１】
２つ目は、読取られた画像情報に対して行った画像処理の判定結果が、第１の走行系２００の往路と復路とで相違する領域があるときに、より適正な画像情報を選択する手法である。
【００４２】
この選択手法は、ある画像処理の判定結果にＡ，Ｂと２種類があるとして、振動の発生によりＡがＢであると誤判定することはあっても、ＢをＡであるとは誤判定しない画像処理の場合に適用できる。すなわち、画像処理の判定結果がＡの場合は、Ｂの場合に比して振動発生のない適正画像情報が得られるとすることができる。
【００４３】
このような画像処理について、具体的に例をあげれば、黒文字判定において、実原稿画像の黒文字領域に対し、振動によりこれを非黒文字と判定する場合はあるが、逆に非黒文字領域を振動により黒文字領域と判定することはあり得ない。よって、往路と復路の同一領域で、黒文字／非黒文字と判定が別れた場合には、黒文字と判定した側の画像情報を振動発生のない適正画像情報として選択採用する。
【００４４】
同様に、白黒／カラー判定の場合も、白黒と判定した側を適正画像情報として採用する。このように、往路・復路の画像処理の処理結果に基づいて、振動発生領域を抽出して、かつ、適正側（振動発生なし）の領域の画像情報を選択することができる。
【００４５】
これら２つの突発振動時の画像情報選択手法は、前述した走査速度の立ち上り時の振動に対しても有効であり、走査速度立ち上り時の振動と外乱による突発振動が複合したような場合においては、前述の振動の影響がある範囲を予め限定したものより、さらに精度良く画像情報の選択が可能となる。
【００４６】
このように、第２の読取りモード（高画質モード）では、往路及び復路の両方の読取り画像情報から適正な領域部分を選択し組み合わせることにより、原稿２０４の全域において、画質劣化もなく画像処理上の誤判定もない読取り画像情報を得ることができる。
【００４７】
もちろん、この高画質を目的とした第２の読取りモード（高画質モード）は、往路及び復路とも、第１の走査部２００は画像読取り速度で移動するため、復路を高速で移動することが可能な第１の読取りモード（通常モード）よりは、生産性（スピード）で劣る。しかしながら、ユーザーの優先順位（生産性よりも高画質）に則して、読取りモードの決定を行っているので、大きな問題ではない。
【００４８】
図５は、図１における第１走査部２００の位置及び速度の相関関係を説明するのに用いられる図であり、第２の読取りモードの場合を示す。
【００４９】
図５では、上述の生産性低下を補うために、往路及び復路共に第１の走査部２００の移動開始位置をそれぞれの走査方向の下流側に移動している。
【００５０】
図５において、第１の走査部２００の移動開始位置（１）は、図４の位置（１）より走査方向下流側にあり、この結果、原稿画像範囲に占める立ち上がり振動の収束までの範囲（範囲ａ及び範囲ｂ）、即ち画質劣化領域は、図４の場合に比して大きくなるが、これらの範囲が大きくなっても、前述したように、第２の読取りモード（高画質モード）の場合は、夫々、往路及び復路での振動の影響のない領域の読取り画像を選択して合成することにより、原稿２０４の全域において画質劣化のない読取り画像を取得できることに変わりはない。なお、範囲ａと範囲ｂの大きさは、それぞれの範囲が重ならない大きさであればよい。
【００５１】
この手法の場合、往路（矢印Ａ方向）において、特に読取り時間短縮の効果がある。即ち、原稿２０４の自動原稿サイズ検知（主走査方向）を行う場合等に、画像読取り前に主走査方向の原稿サイズを検知するために、第１の走査部２００は、一旦原稿先端（Ｆ）で停止するが（図５の位置（１））、第１の読取りモード（通常モード）であれば、第１の走査部２００がここから再度原稿２０４の外側に退避し（図４の位置（１））、再び矢印Ａ方向に移動を開始する必要があるが、図５のように、移動開始位置を走査方向下流側、特に原稿領域内まで前進させた場合は、これらの余計な動作を省略し、原稿サイズ認識後、第1の走査部２００を原稿の先端から矢印Ａ方向へ移動開始させ、すぐに読取り動作を開始することができる。
【００５２】
図３〜図５で示したような振動を根本的に抑えようとすれば、前述したように、少なからず装置の大型化やコストアップを招く。しかしながら、読取りモードの選択で対応することで、装置の小型化とコストを抑えた上で、読取り画像の高画質化との両立が可能となる。
【００５３】
第１の読取りモード（通常モード）と第２の読取りモード（高画質モード）の切替えを、第１の読取りモード（通常モード）時に読取った原稿画像に基づいて行う。つまり、ユーザーは、原稿台ガラス２０３上に原稿２０４を載せて読取り開始操作を行う。どのような原稿画像であっても、まず、原稿先端（Ｆ）から後端（Ｒ）（図３及び図４の矢印Ａ方向）への画像読取りを行って、読取った結果に基づいて原稿画像の種類を判定し、原稿画像の種類に応じて予め設定した判定基準に基づいて第２の読取りモード（高画質モード）を実行すべきか否かを判定し、第２の読取りモードを実行するべきと判定すれば、復路での画像読取りを行い（図４の矢印Ｂ方向）、第１の読取りモード（通常モード）での読取りが適正と判定される通常原稿であれば、復路での読取りを行わず、高速での移動のみを行う。
【００５４】
具体的な例をあげるならば、往路での画像読取りで、カラー原稿かつ文字が多いと判断したときには、文字処理の誤検知を防止するため、復路での読取りを必要とする第２の読取りモードを実施する。また、例えば、白黒原稿で文字が多いと往路で判断した場合には、前述のように誤検知の可能性は低いし、また、ユーザーとしても、白黒文字原稿に対し、高い画質の要求は少ないため、第１の読取りモードとする。さらに、例をあげるなら、写真が多いと判断された場合には、高画質の要求が高いと判断して、第２の読取りモードを実施すると設定される場合もある。この判定基準は、ユーザーの設定によって可変であり、また、この読取りモードの自動切替えの実施有無もユーザーの設定により行える。第２の読取りモードの実行判定処理の一例を図６に示す。
【００５５】
図６は、図１の画像読取り装置によって実行される第２の読取りモード実行判定処理を示すフローチャートである。
【００５６】
図７において、まず、第１の読取りモードによる往路読取りを実行し（ステップＳ７００）、読取り画像がカラーか白黒かを判別し（ステップＳ７０１）、読取り画像が白黒のときは、読取り画像が文字か写真かを判別し（ステップＳ７０２）、読取り画像が文字であるときは、直ちに、本処理を終了する。
【００５７】
ステップＳ７０１の判別の結果、読取りが像がカラーのとき、又はステップＳ７０２の判別の結果、読取り画像が写真のときは、ユーザー設定が高画質か通常かを判別し（ステップＳ７０３）、ユーザー設定が通常であるときは、直ちに、本処理を終了する。
【００５８】
ステップＳ７０３の判別の結果、ユーザー設定が高画質のときは、第２の読取りモードによる復路読取りを実行し（ステップＳ７０４）、次いで、第２の読取りモードによる復路読取りの結果が第１の読取りモードによる往路読取りの結果と差が有るか否かを判別する（ステップＳ７０５）。
【００５９】
ステップＳ７０５の判別の結果、差がないときは、直ちに、本処理を終了すると共に、一方、差が有るときは、往路の振動が発生していない領域と復路の振動が発生していない領域とを選択して合成し（ステップＳ７０６）、本処理を終了する。
【００６０】
図７の処理によれば、読取り画像がカラーであるか（ステップＳ７０１でカラー、又は写真である場合において（ステップＳ７０２で写真）、ユーザ設定が高画質であるときは（ステップＳ７０３で高画質）、第２の読取りモードによる復路読取りを実行し（ステップＳ７０４）、往路読取り画像との差が有るときは、（ステップＳ７０５ＹＥＳ）、往路の振動が発生していない領域と復路の振動が発生していない領域とを選択して合成する（ステップＳ７０５）。
【００６１】
また、第１の読取りモード（通常モード）時の原稿先端（Ｆ）から後端（Ｆ）への画像読取り時に、装置本体に取り付けられた振動検知センサ２６０からの振動情報に基づいて第２の読取りモードの実施、即ち、復路での読取りを行うかを決定する方法を用いる場合もある。このように、上述の実施の形態と同様に、ユーザーの様々な要求、使い勝手と画像品質を両立することができる。
【００６２】
上記実施の形態で述べたような、ユーザーの選択による複数の読取りモードを設けたときには、各読取りモード選択実施回数を装置に記憶させる。これら選択実施回数の情報は、原稿照明ランプ２０１の寿命などのメンテナンス情報としてサービスマンへの有用な情報となるし、ユーザーの画像読取り装置への要求を反映する市場情報として、装置製造者側へも有用な情報となる。また、メンテナンス料金設定の１つの情報として活用することも可能である。
【図面の簡単な説明】
【００６３】
【図１】本発明の実施の形態に係る画像読取り装置の構成を概略的に示す図である。
【図２】図１における制御ユニットの構成を概略的に示すブロック図である。
【図３】図１における第１走査部の位置及び速度の相関関係を説明するのに用いられる図であり、第１の読取りモードの場合を示す。
【図４】図１における第１走査部の位置及び速度の相関関係を説明するのに用いられる図であり、第２の読取りモードの場合を示す。
【図５】図１における第１走査部の位置及び速度の相関関係を説明するのに用いられる図であり、第２の読取りモードの場合を示す。
【図６】図１の画像読取り装置によって実行される第２の読取りモード実行判定処理を示すフローチャートである。
【図７】従来の画像読取り装置の第１の走査部の振動状態を説明するのに用いられる図である。
【符号の説明】
【００６４】
２００  第１の走査部
２０１  原稿照明ランプ
２０３  原稿台ガラス
２０４  原稿
２０５  第１のミラー
２０６  第２のミラー
２０７  第３のミラー
２０８  レンズ
２０９  ＣＣＤ
２２０  第２の走査部
【図１】
2006041599.tif 000003
【図２】
2006041599.tif 000004
【図３】
2006041599.tif 000005
【図４】
2006041599.tif 000006
【図５】
2006041599.tif 000007
【図６】
2006041599.tif 000008
【図７】
2006041599.tif 000009